(57)【要約】      （修正有）【課題】老朽化した下水管を新しい管に置き換える改築推進工事、または、管の補修工事を行うにあたり、供用されている下水管の仮排水を行う必要があり、この止水が必要な下水管を止水し、ドライな状態で施工を行うための汚水桝・下水道管の止水栓を提供する。【解決手段】汚水桝及び小径口の下水道管の止水をする止水栓において、止水栓をゴムを素材とし、且つ、球形のバルーン１とした止水栓であり、該止水栓に、ホース３との取付部Ａを設け、該取付部に２枚の円形ゴムシート２ａ等を設けて、前記球形のバルーンを介して表・裏に固着する。または、バルーンの表面に重合して固着して補強構造にし、又、ホースの一端には球形のバルーンと連通し、該ホースの他端は、地上から圧縮空気を注入し、注入した圧縮空気が漏れないよう脱気防止金具５を設け、かつ、該ホースの他端は、地上から圧縮空気を注入する作業が可能な長さに形成する。【選択図】図１
0003177003.tif 000002
【実用新案登録請求の範囲】
【請求項１】
汚水桝及び小径口の下水道管の止水をする止水栓において、止水栓をゴムを素材とし、且つ、球形のバルーンとしたことを特徴とする汚水桝・下水道管の止水栓。
【請求項２】
ゴムを素材とし、且つ、球形のバルーンからなる止水栓に、ホースとの取付部を設け、該取付部に２枚の円形ゴムシートを設け、前記球形のバルーンを介して表・裏に固着し、あるいは、バルーンの表面に重合して固着して補強構造にしたことを特徴とする請求項１記載の汚水桝・下水道管の止水栓。
【請求項３】
前記球形のバルーンからなる止水栓に、適宜な長さを有するホースを設け、該ホースの一端には球形のバルーンと連通し、該ホースの他端は、地上から圧縮空気を注入し、注入した圧縮空気が漏れないよう脱気防止金具を設けたことを特徴とする請求項１または２記載の汚水桝・下水道管の止水栓。
【請求項４】
前記球形のバルーンからなる止水栓に、適宜な長さを有するホースを設け、該ホースの一端には球形のバルーンと連通し、該ホースの他端は、地上から圧縮空気を注入する作業が可能な長さに形成したことを特徴とする請求項１または２または３記載の汚水桝・下水道管の止水栓。
【考案の詳細な説明】
【技術分野】
【０００１】
この考案は、汚水桝・下水道管の止水栓に関するものである。
【背景技術】
【０００２】
従来、市街地等の老朽化した下水管を、新しい管に置き換える改築推進工事又は管の補修等を行うに当たり、工事期間中に、各家庭や事業所から排出される排水を停止して工事をおこなうことは不可能であり、そのまま使用できる手段として、共用されている下水道管に仮排水を行う必要がある。
【０００３】
即ち，工事区間の部分を避けて、上流側の下水道管と下流側の下水道管との間に、迂回流路を形成し、該流路を通じて従来通り排水しており、そのため、上流側の下水道管と下流側の下水道管とを一時的に閉塞するための止水栓が必要となる。
【０００４】
そして、従来の止水栓としては、一般に、中空の円柱形状をしており、圧縮空気を内部に注入するための注入金具が装着れさており、しかも、肉厚のゴムで構成されている。そして、止水口へ直接挿入した後、ゴムホースを繋ぎ、圧縮空気を注入した後、注入口のホースを取り外すタイプのものであった。
【０００５】
しかし、このような既存の止水栓は、設置作業が煩雑であり、また、円柱形状の止水栓は、止水口へ挿入作業に際しては、汚水桝・小口径の下水道管の止水口またはその周辺を直接接触せざるを得ないため、安全衛生面からも問題が生ずる可能性があった。
【０００６】
また、下水管の工事用止水用具として、合成樹脂等の弾性管体と金属筒体とを接続した構成ものが開示されている。例えば、特許文献１のように。
【先行技術文献】
【特許文献】
【０００７】
【特許文献１】実開平６−６７５８０号公報
【０００８】
しかしながら、この技術は、工事用止水用具ではあるが、下水管の内部に堆積した土砂、汚泥、異物の除去掃除を目的とするための止水用具であり、本願とはその目的を異にし、しかも、その技術構成も異なるものである。
【考案の概要】
【考案が解決しようとする課題】
【０００９】
そこで、この考案が解決しようとする課題は、老朽化した下水管を新しい管に置き換える改築推進工事、または、管の補修工事を行うにあたり、供用されている下水管の仮排水を行う必要があり、この止水が必要な下水管を止水し、ドライな状態で施工を行うために考案された汚水桝・下水道管の止水栓である。
【課題を解決するための手段】
【００１０】
そして、この考案は、止水栓への装着作業が簡単であり、仮排水をするにあたり、確実にし、汚水桝・下水道管の止水が可能な汚水桝・下水道管の止水栓を開発・提供することにある。
【考案の効果】
【００１１】
この考案によると、止水栓をゴムを素材とし、且つ、球形のバルーンとしたことにより、汚水桝及び小口径の下水道管の止水口への挿入作業が極めて簡単であるとの効果を奏する。
【００１２】
また、ゴムを素材とした球形のバルーンは、２枚の円形ゴムシートでバルーンを介して表・裏からサンドイッチ構造とし、あるいは図２（ｂ）に示すように、ゴムフランジ（２ｃ）を介して円形ゴムシート（２ａ，２ｂ）を接着剤等を用いて固定したため、耐久性を有する補強構造としており、空気漏れがない等の効果を奏する。
【００１３】
そして、バルーンに連通する適宜な長さを有するホースの他端，即ち，地上に位置するホースには脱気防止金具を設けたため、仮に、圧縮空気が漏れが発生しても、容易に判断できる等の効果を有する。
【００１４】
さらに、球形のバルーンには適宜な長さのホースを設けることにより、地上からホースでバルーンに圧縮空気を注入することができ、段取り時間を大幅に短縮できることが可能となり、さらに、止水口に、直接接触する必要がなく、衛生面からも安全である等の効果を有する。
【００１５】
最後に、この考案によると、従来品と比べて圧倒的に安価に製造でき、かつ、作業時間の短縮が図れることにより、工期の短縮が期待でき、工事コストも低減できる等の極めて優れた効果を奏するものである。
【図面の簡単な説明】
【００１６】
【図１】この考案の一実施例を示す一部欠截斜視図である。
【図２】この考案の一実施例を示し、（ａ）は、取付け部の構造を示す要部拡大断面図であり、（ｂ）は、取付け部の他の構造を示す要部拡大断面図である。
【図３】この考案の使用状態を示す説明図である。
【図４】この考案の使用状態を示す説明図である。
【図５】従来例を示すそれぞれ説明図である。
【考案を実施するための形態】
【００１７】
以下、この考案の好適な実施の形態として詳細に説明する。尚、この考案においては、以下の記述に限定されるものではなく、この考案の要旨を逸脱しない範囲においては適宜変更可能である。
【実施例】
【００１８】
先ず、改築推進工事の構成を図３に示すと、図３に示すように、汚水桝（Ｘ）と下水道管（Ｚ′）とを接続する取付管（Ｙ）に、止水栓をして工事区間の下水道管（Ｚ′）をドライな状態で施工を行うものであり、もちろん、下水道管（Ｚ′）は、各家庭の汚水桝（Ｘ）とも繋がっているため、この汚水桝（Ｘ）と下水道管（Ｚ′）に連通する取付管（Ｙ）の止水も行う必要があり、図４に、取付管（Ｙ）の止水状況を示す。汚水桝（Ｘ）に溜まった汚水は自動パイパスユニットにより下水道管（Ｚ）に流される。
【００１９】
次に、この考案の一実施例を図１〜図２に基づいて詳述すると、汚水桝（Ｘ）及び小径口の下水道管（Ｚ）の止水をする止水栓であって、該止水栓は、ゴムを素材とし、且つ、ゴムを素材とした球形のバルーン（１）からなり、その具体的構成は、球形のバルーン（１）、ゴム製のホース（３）、圧力ゲージ（４）を取り付けた脱気防止金具（５）及び球形のバルーン（１）とゴムホース（３）を接着しているゴムシート（２ａ，２ｂ）からなるものである。
【００２０】
ゴムを素材とし、且つ、球形のバルーン（１）からなる止水栓には、ホース（３）との取付部（Ａ）には、図２（ａ）に示すように、該取付部（Ａ）に２枚の円形ゴムシート（２ａ）（２ｂ）を設け、前記球形のバルーン（１）を介して表・裏に固着して補強構造にしたことを特徴とする止水栓から構成されるものである。
また、図２（ｂ）に示すように、前記取付部（Ａ）に２枚の円形ゴムシート（２ａ）（２ｂ）は、ゴムフランジ（２ｃ）を介してバルーン（１）の表面に重合して構成する補強構造であってもよいものである。
【００２１】
さらに、前記球形のバルーン（１）からなる止水栓に、適宜な長さを有するホース（３）を設け、該ホース（３）の一端には、球形のバルーン（１）と連通し、該ホース（３）の他端は、地上から圧縮空気を注入し、注入した圧縮空気が漏れないよう脱気防止金具（４）を設けたことを特徴とする止水栓から構成されるものである。
【００２２】
尚、ホースの長さについては、その一例として、取付管（Ｙ）の地上からの深さによるが、１〜２ｍ程度あればよく、そして、前記球形のバルーン（１）からなる止水栓には、適宜な長さを有するホース（３）を設け、該ホース（３）の一端には、球形のバルーン（１）と連通し、該ホース（３）の他端は、地上から圧縮空気を注入する作業が可能な長さに形成したことを特徴とする止水栓から構成される。
【００２３】
この考案の使用方法を述べると、先ず、汚水桝（Ｘ）の取付管（Ｙ）の取付け口にバルーン（１）を挿入し、その後、ゴムホース（３）の他端に装着された脱気防止金具（５）より圧縮空気をバルーン（１）の中に送り込み、圧力ゲージ（４）を見ながら、設定圧により完全にシール事を確認し、取付管（Ｙ）が完全にシールされた時点で圧縮空気の送り込みを終了する。この脱気防止金具（５）は圧縮空気が漏れないよう構成されている。
【００２４】
尚、圧縮空気は、自転車の空気入れのようなものでも確保できる圧力で充分に密閉可能である。球形のバルーン（１）とホース（３）は２枚の円形ゴムシート（２ａ）（２ｂ）により挟まれた中にゴムホース（３）が貫通した状態で接着されている。
【００２５】
工事終了後、球形のバルーン（１）を外すときには、脱気防止金具（４）に治具（図示せず）を差し込み、圧縮空気を抜けば、球形のバルーン（１）は簡単に収縮し取付け口（Ａ）から引き出せる。
【００２６】
以上のような簡単な設備、作業順序により下水道管や取付管の止水が可能な球形のバルーン（１）がこの発明の要部である。
【産業上の利用可能性】
【００２７】
この考案によると、汚水桝・下水道管の止水栓の技術を確立し、これに基づいて大量に製造・販売することにより産業上の利用可能性がある。
【符号の説明】
【００２８】
１  バルーン
２ａ，２ｂ  円形ゴムシート
２ｃ  ゴムフランジ
３  ホース
４  圧力ゲージ
５  脱気防止金具
Ａ  取付部
Ｘ  汚水桝
Ｙ  小径口の下水道管
Ｚ  下水道管
Ｚ′工事区間の下水道管
【図１】
0003177003.tif 000003
【図２】
0003177003.tif 000004
【図３】
0003177003.tif 000005
【図４】
0003177003.tif 000006
【図５】
0003177003.tif 000007